(57)【要約】【課題】レンズを簡単に装着できるとともにしっかりと保持するための新たな脱着機構を提示する。【解決手段】眼鏡の本体レンズから前方に突出する第１の拡大部と該第１の拡大部から後方に位置する第２の拡大部とを有して眼鏡の本体レンズの両端近傍に固持された脱着部材とを有し、その脱着部材に補助レンズを取り付けるために各々の該脱着部材に対応して第１の拡大部が貫入可能な大きさの孔部又は切り欠き部とを有する。各脱着部材の第１の拡大部と第２の拡大部との間に各孔部の内辺縁部分が嵌入して該第１の拡大部と第２の拡大部とによって該補助レンズの移動が抑止される。【選択図】　図１
2004126215.tif 000002
【特許請求の範囲】
【請求項１】
眼鏡の本体レンズから前方に突出する第１の拡大部と該第１の拡大部から後方に位置する第２の拡大部とを有し、眼鏡の本体レンズの両端近傍に固持された脱着部材と、
前記脱着部材に補助レンズを取り付けるために各々の該脱着部材に対応して前記第１の拡大部が貫入可能な大きさの孔部又は切り欠き部を有し、各脱着部材の第１の拡大部と第２の拡大部との間に各孔部の内辺縁部分が嵌入して該第１の拡大部と第２の拡大部とによって該補助レンズの移動が抑止されるようにしたことを特徴とする、補助レンズの取付機構。
【請求項２】
前記脱着部材の各々が夫々智と本体レンズ、及びブリッジと本体レンズに固持されていることを特徴とする請求項１に記載の取付機構。
【請求項３】
前記第１の拡大部及び前記第２の拡大部が湾曲した面を有することを特徴とする請求項１に記載の取付機構。
【請求項４】
前記脱着部材は前記第２の拡大部から後方へと前記本体レンズ及び智に設けられた孔部を貫通して延在していることを特徴とする請求項１に記載の取付機構。
【請求項５】
前記脱着部材は棒状をなして頭部を形成する前記第１の拡大部と、中間部を形成する第２の拡大部と、末端を形成する前記第３の拡大部から構成され、前記第２の拡大部と前記第３の拡大部によって前記本体レンズと智、そして本体レンズとブリッジを挟み込むようにしたことを特徴とする請求項１に記載の取付機構。
【請求項６】
前記補助レンズが左右から内方への圧縮による弾性変形によって前記第１の拡大部に貫入可能としたことを特徴とする請求項１に記載の取付機構。
【請求項７】
補助レンズを係止するための拡大する頭部と拡大する中間部とを有する棒状の補助レンズの脱着部材であって、
該中間部から該頭部と反対方向へと延びる延伸部を有し、該延伸部から少なくとも本体レンズ及び智に形成された孔部を貫通して該延伸部の後方に突出した部分が熱溶融によって拡大する末端部が形成されて該中間部と該末端部によって少なくとも該本体レンズと該智とを挟持するようにされたことを特徴とする脱着部材。
【請求項８】
前記脱着部材はプラスチックから一体成形されていることを特徴とする請求項７に記載の取付部材。
【発明の詳細な説明】
【０００１】
【発明の属する技術分野】
本発明は、眼鏡のレンズの脱着機構及び脱着部材に関する。より詳細には、眼鏡本体に偏光や遮光といった各種機能を付加し、拡張するための補助レンズを眼鏡に脱着自在に付加するための脱着機構及び脱着部材に関する。
【０００２】
【従来の技術】
レンズを眼鏡の前面に脱着可能に取り付けるための様々な試みが従来からなされている。例えば、実開平４―１３７３１８号公開公報には、ブリッジの左右両側に対称的にリムを配設し、そのリムの各々に前方に突出させた少なくとも２本のステーボルトを植設する構成が記載されている。このステーボルトは、その先端を円形フランジ状にして前方に突出され、全体形状が略杵型となるようその軸部を細く絞って合成ゴムから成形された緩衝スリーブが嵌着され、一方、このリムに配設するレンズにはステーボルトに対応する位置に欠込ノッチが形成される。補助レンズを取り付けるには、レンズの欠込ノッチの各々を対応するリムに植設したステーボルトの軸部に嵌め込む。レンズの欠込ノッチは、ステーボルトに着けられた緩衝スリーブで挟み込まれる。
【０００３】
【発明が解決しようとする課題】
この脱着機構は、合成ゴムでできた極小の緩衝スリーブによって補助レンズが両側から挟み込むようにしたものである。従って、長期の使用による劣化による弾力等の品質の低下によってはレンズの支持が充分働かず、しかも、極小な緩衝スリーブをステーボルトに填め込みながらレンズをその側面で支持するために、その装着が極めて難しいという問題点を有する。
【０００４】
従って、そのような緩衝スリーブが無くともより確実で安定的に取り付けることができるとともに、容易に着脱可能な新たな脱着機構が望まれる。
【０００５】
【課題を解決するための手段】
本発明は、眼鏡の本体レンズから前方に突出する第１の拡大部と該第１の拡大部から後方に位置する第２の拡大部とを有して眼鏡の本体レンズの両端近傍に固持された脱着部材とを有し、その脱着部材に補助レンズを取り付けるために各々の該脱着部材に対応して第１の拡大部が貫入可能な大きさの孔部又は切り欠き部とを有するものであって、各脱着部材の第１の拡大部と第２の拡大部との間に各孔部の内辺縁部分が嵌入して該第１の拡大部と第２の拡大部とによって該補助レンズの移動が抑止されるようにしたことを特徴とする補助レンズの取付機構である。
【０００６】
そして、好ましくは、上記脱着部材の各々が智と本体レンズ、ブリッジと本体レンズに固持されていることを特徴とする。
【０００７】
そしてまた、第１の拡大部と第２の拡大部とが湾曲した面を有することを特徴とする。
【０００８】
上記脱着部材は第２の拡大部から後方へと本体レンズ及び智に設けられた孔部を貫通して延在している。
【０００９】
上記脱着部材はまた、棒状をなして頭部を形成する第１の拡大部と、中間部を形成する第２の拡大部と、末端を形成する第３の拡大部とから構成される。前記本体レンズ及び智は第２の拡大部と前記第３の拡大部によって挟み込まれようにして固定される。
【００１０】
さらにまた、補助レンズが左右から内方への圧縮による弾性変形によって第１の拡大部に貫入可能としたことを特徴とする。この補助レンズとして、例えば、プラスチック・レンズ等である。
【００１１】
本発明は、補助レンズを簡易にしかも確実に取り付けることができるとともに、眼鏡の本体レンズと、ブリッジ、そしてまた智とを一体的に取り付けることが可能な新たな補助レンズの脱着部材も提供する。
【００１２】
この脱着部材は補助レンズを係止するための拡大する頭部と拡大する中間部とを有する棒状をなし、該中間部から該頭部と反対方向へと延びる延伸部を有し、該延伸部から本体レンズと智、そして本体レンズとブリッジに形成された孔部を貫通して該延伸部の後方に突出した部分が熱溶融によって拡大する末端部が形成されて該中間部と該末端部によって該本体レンズと該智、該本体レンズと該ブリッジとを挟持するようにされたことを特徴とするものである。
【００１３】
そしてまた、その脱着部材はプラスチックから一体成形されていることを特徴とする。
【００１４】
【発明の実施の形態】
本発明による補助レンズの脱着機構及び脱着部材を図面を参照して説明する。
【００１５】
図１、２は、眼鏡１とそれに脱着可能に取り付ける補助レンズ６の斜視図であり、図１は、補助レンズ６が取り付けられる前の斜視図、図２は補助レンズ６が取り付けられた後の斜視図である。
【００１６】
縁無しのいわゆるリムレスと通常呼ばれる眼鏡１の各レンズ２・２は、ブリッジ３によって連結されている。ブリッジ３の両端からは両鼻にかかるように鼻パッド８・８が垂下している。眼鏡１の左右両端には智（ブラケット）４が各レンズ２の一方の端部分に設けられている。左右の各テンプルアーム７・７が智４・４にヒンジ連結されて回動可能に後方へと延びている（ここでは、眼鏡を顔に掛けたときの眼鏡から顔へ向いた方向を後方、その面を後面、その反対方向を前方、その面を前面という）。
【００１７】
眼鏡１のレンズ２・２の前面には、遮光や偏光といった機能を有するサングラス等となる補助レンズ６・６がその面に重ねて取り付けられるようになっている。各レンズ２の両端部分には、そのレンズ２の前方に突出したピン５・５が取り付けられている。一方、各補助レンズ６には、その両端近傍に、両端のピン５・５にそれぞれ対応する孔部６ａ・６ａが設けられ、その各孔部６ａに各ピン５が貫入して係止されるようになっている。尚、孔部６ａ・６ａに代えて両側に口が開いた切り欠きを形成しても良い。
【００１８】
図３は、補助レンズ６が取り付けた状態の智４、本体レンズ２、補助レンズ６の取付構造（図３（ａ））及びブリッジ３、本体レンズ２、補助レンズ６の取付構造を（図３（ｂ））を明らかにするための上方から見た部分的断面図（斜線で示す）を表している。また、図４は、補助レンズ６が取り付けた状態にある智４の領域部分（図４（ａ））及びブリッジ３の端の領域部分（図４（ｂ））の正面図である。
【００１９】
図３（ａ）（ｂ）を参照すると、棒状に延びたピン５は、頭部を形成する第１の拡大部５ａ、中間部にある第２の拡大部５ｂ、そして第１の拡大部５ａとは反対方向の末端の第３の拡大部５ｃを有している。第１の拡大部５ａと第２の拡大部５ｂとの間に延びる貫入部５ｄが補助レンズ６の孔部６ａに貫入する。第２の拡大部５ｂと第３の拡大部５ｃ間の延伸部５ｅは、本体レンズ２とワッシャー９の孔部２、そして智４又はブリッジ４の孔部２ａ、９ａ、４ａ又は３ａに貫入し、本体レンズ２、ワッシャー９の孔部２、智４、及びブリッジ４の孔部２ａ、９ａ、４ａ、３ａとしっかりと嵌合して相互を一体的に連結している。ワッシャー９はここではプラスチックから成形して作ることができる。
【００２０】
ピン５の貫入部５ｄが孔部６ａに貫入した補助レンズ６は、その内辺縁（レンズ中央に近い辺縁）が拡大した頭部５ａと中間部５ｂとの間で挟まれるようにされ、補助レンズ６の前後移動が抑止されるようになっている。
【００２１】
拡大した中間部５ｂと拡大した末端部５ｃの間の円筒状に延びた延伸部５ｅは、その後端の第３の拡大部と中間の第２の拡大部によって、本体レンズ２とワッシャー９と智４（又はブリッジ３）とを前後で挟み込んで一体的に結合するようにしている。
【００２２】
補助レンズ６の孔部６ａは、ピンの拡大した頭部５ａが貫入可能な程度の大きさに形成されている。さらに、図３からも明らかなように、拡大した中間部５ｂがレンズ２の孔部２ａの中に部分的に埋め込まれそして部分的にレンズ２の前面へと盛り上がる又は出っ張るように、孔部２ａの前面部分は埋め込まれる部分の形状に合あわせて成形されている。この中間部５ｂの出っ張った部分によって、補助レンズ６がレンズ２から離間して保持されるため、眼鏡本体１に取り付けられた補助レンズ６の両端の孔部６ａ・６ａ間で、少なくとも本体レンズ２と補助レンズ６とが接触せず、その面がこすれたりして傷つくことがない。
【００２３】
補助レンズ６は弾性変形可能なレンズであって、例えばプラスチック・レンズが好適である。補助レンズ６の後面の湾曲率は、ピン５の間では少なくとも補助レンズ６が本体レンズ２と接触しない程度に形成されている。例えば、補助レンズ６の後面の湾曲率を、眼鏡１の本体レンズ２の外面の湾曲率よりも大きくとるようにすればよい。
【００２４】
また、図４（ａ）（ｂ）に示しように、眼鏡１に補助レンズ６が取り付けられた状態にあっては、レンズ６の孔部６ａと、ピン５の頭部５ａとがずれた関係を維持するように、各補助レンズ６の両端の孔部６ａ・６ａ間の内辺の間隔Ｗ２は、両端のピン５・５の頭部５ａ・５ａの内辺の間隔Ｗ１よりも大きい。
【００２５】
補助レンズ６は、通常の使用状態においては変形がしない程度の適度な弾性力を有しているために、頭部５ａと中間部５ｂとの間に嵌入した補助レンズ６は、容易にはそのピン５の頭部５ａから外れることが無い。尚、孔部６ａ・６ａ間の内辺の間隔Ｗ２が、両端のピン５・５の貫入部５ｄ・５ｄの内辺の間隔よりも大きい場合、変形した補助レンズ６の応力によってピン５の貫入部５ｄが外方へと（すなわち、補助レンズ６の両端方向へと）絶えず力を受けることとなり、長期の使用によっては、補助レンズ６及びピン５の摩耗や弾性変化等による変形を生じることとなるため、孔部６ａ・６ａ間の内辺の間隔Ｗ２は、貫入部５ｄ・５ｄ間の内辺の間隔よりも等しいか小さいことが好ましい。
【００２６】
図５は、眼鏡本体に組み込む前のピン５の側面図である。ピン５は、本例では、略１７．５５ｍｍの全長（Ｌ）を有し、同軸上を同心状に拡大した頭部５ａ（長さＬ１＝０．８４ｍｍ、直径ｂ＝２．１ｍｍ）、円筒状の貫入部５ｃ（長さＬ２＝０．９１ｍｍ、直径ａ＝１．５ｍｍ）、同心状に拡大した中間部（長さＬ３＝１．４ｍｍ、直径ｃ＝２．５ｍｍ）、そして円筒状の延在部５ｅを有している。その延在部５ｅは、拡大した中間部からある長さ（Ｌ４＝１２ｍｍ）の間同径（直径ｄ＝２．０ｍｍ）のまま延びている。そして、そこから末端（直径ｅ＝１．７ｍｍ）に向けて幾分絞られたテーパー状をなて延び（長さＬ５＝２．４ｍｍ）、その先端（末端）から、本体レンズ２、ワッシャー９、そして智４の孔部２ａ、９ａ、４ａへの挿入を容易にしている。
【００２７】
延在部５ｅがその本体レンズ２とワッシャー９とそして智４の孔部２ａ、９ａ、４ａとしっかりと嵌合するように夫々の穴径と延在部５ｅの外径が決定されている。ここでは、延在部５ｅ孔部２ａ、９ａ、４ａは、直径略２．０ｍｍの円形を成している。
【００２８】
延在部５ｅのテーパ状の先端が、本体レンズ２の前面から、その本体レンズ２の孔部２ａ、ワッシャー９の孔部９ａ、そして智４の孔部４ａと挿入されしっかりと組み合わされると、その延在部５ｅの先端部分が図３の第３の拡大部を形成するように加熱溶融される。こうしてレンズ２と智４とを挟みこむような末端拡大部５ｃが形成されると、その末端拡大部５ｃは冷却されて智４とレンズ２とが、しっかりと固定される。ブリッジ３とレンズ２との結合も同様の方法によって行われる。このように、ピン５は、熱加工によって拡大した末端部が形成されるような熱溶融可能な材料からなり、好ましくは、プラスチック等の合成樹脂で一体成形されている。
【００２９】
図６は、補助レンズを取り外した状態と装着した状態の平面図を示している。特に、図６（ａ）では、手等によって矢印の方向（内方）へと押されて圧縮されたレンズ２（実線で示す）は、無負荷の（力がかかっていない）レンズ２（破線で示す）の状態よりもより前方へと湾曲変形し、両端部分の孔部６ａ・６ａ間の距離が縮み、孔部６ａ・６ａがピン５の頭部５ａ・５ａの位置と合致し、頭部５ａ・５ａを孔部６ａ・６ａに貫入することができる。尚、最初に一方のピン５の貫入部５ｄに補助レンズ６の対応する一方の孔部６ａを掛け、その状態で内方へと圧縮して補助レンズを湾曲させたまま、他方のピンの貫入部５ｄに対応する他方の孔部６ａを掛けるようにして、補助レンズ６を取り付けても良い。
【００３０】
一度貫入された補助レンズ６は、内方への圧縮力が開放されるとそのレンズの弾性応力により通常の状態へと復元しようとする。これによって、補助レンズ６の孔部６ａがピン５の頭部５ａとずれ、図４（ａ）（ｂ）で示した状態を維持しようとする。
【００３１】
拡大した頭部５ｂは、その側面が横方向から見て所定の湾曲を描くように、マッシュルーム状となっている。拡大した頭部の側面は、その曲率Ｒ１＝０．３ｍｍで外方向へと貫入部５ｄから拡大し、さらに頭部前面では曲率Ｒ２＝１．８ｍｍで頭部を形成している。また、中間部５ｂの前方及び後方も同心円状の湾曲面が形成され、側面から見た前面の曲率はＲ３＝０．５ｍｍ、後面の曲率Ｒ４＝１．３ｍｍである。
【００３２】
頭部５ａの背面（後面）部分の湾曲によって、補助レンズ６の一方の端を持って本体レンズ２から前方へと離れるように力を加えれば、孔部６ａの内辺が頭部５ａの背面部分を滑って内方へと力を受けるため、補助レンズ６は次第に縮むように湾曲変形し、その結果頭部５ａを抜けて補助レンズ６を容易に取り外すことができるとともに、全体の強度をも高められている。
【図面の簡単な説明】
【図１】眼鏡１に補助レンズ６・６が取り付けられた状態の斜視図である。
【図２】補助レンズ６・６が取り付けられる前の前面に離間した補助レンズ及び眼鏡１の斜視図である。
【図３】ピン５によって補助レンズ６が接続された状態を示す部分的断面図である。
【図４】ピン５によって補助レンズ６が接続された状態の部分的正面拡大図である。
【図５】ピン５の側面図である。
【図６】補助レンズが取り付けられた状態と離間した状態の平面図である。
【符号の説明】
１．．．眼鏡
２．．．本体レンズ
２ａ．．．孔部
３．．．ブリッジ
３ａ．．．孔部
４．．．智
４ａ．．．孔部
５．．．ピン（脱着部材）
６．．．補助レンズ
６ａ．．．孔部
７．．．テンプルアーム
８．．．鼻パッド
９．．．ワッシャー
【図１】
2004126215.tif 000003
【図２】
2004126215.tif 000004
【図３】
2004126215.tif 000005
【図４】
2004126215.tif 000006
【図５】
2004126215.tif 000007
【図６】
2004126215.tif 000008